(57)【要約】【課題】搬送ローラを精度良く位置決めすると共に、当接圧を安定させることのできるシート搬送装置及び画像形成装置並びに画像読取装置を提供する。【解決手段】シート搬送方向に移動可能に保持され、扉を閉じることによって装置本体に設けられた駆動ローラ１１ａに圧接する従動ローラ１３ａを回転自在に保持する第１軸支部１３ｃにボス１３ｆを設けると共に、扉に第１軸支部１３ｃのボス１３ｆの先端部を係止して第１軸支部１３ｃを支持する付勢ばね座３０を設ける。そして、扉を閉じることによって第１軸支部１３ｃと係合し、駆動ローラ１１ａに対して従動ローラ１３ａを位置決めする位置決め部材をプリンタ本体に設け、扉を閉じることによって位置決め部材が第１軸支部１３ｃに係合する際、付勢ばね座３０と隙間３５に入り込んだ位置決め部材とにより、第１軸支部１３ｃのシート搬送方向の移動を規制する。【選択図】図５
2010235231.tif 000002
【特許請求の範囲】
【請求項１】
装置本体に設けられた第１搬送ローラと、前記装置本体に開閉可能な開閉部材に設けられ、前記開閉部材を閉じることによって前記第１搬送ローラに圧接する第２搬送ローラとにより構成される搬送ローラ対を有するシート搬送装置において、
前記開閉部材に設けられ、前記第２搬送ローラがシート搬送方向に移動可能な空間を形成して設けられ、前記第２搬送ローラを回転自在に保持する保持部材と、
前記装置本体に設けられ、前記開閉部材が閉じられると前記保持部材と係合し、前記第１搬送ローラに対して前記第２搬送ローラを位置決めする位置決め部材と、を備え、
前記保持部材に前記搬送ローラ対の圧接方向に延びた係止部を設け、前記開閉部材に前記保持部材の係止部の先端部を係止して前記保持部材を支持する支持部を設け、
前記開閉部材が閉じられて前記位置決め部材が前記保持部材に係合する際、前記支持部と前記空間に入り込んだ前記位置決め部材とにより、前記保持部材のシート搬送方向の移動を規制することを特徴とするシート搬送装置。
【請求項２】
前記保持部材を付勢し、前記第１搬送ローラに前記第２搬送ローラを圧接させる付勢部材を備え、
前記保持部材の係止部に前記付勢部材を装着し、前記付勢部材に抗しながら前記支持部により前記保持部材を支持することを特徴とする請求項１記載のシート搬送装置。
【請求項３】
前記支持部に、前記付勢部材による圧接力を調整する調整部を設けたことを特徴とする請求項２記載のシート搬送装置。
【請求項４】
請求項１乃至３のいずれか１項に記載のシート搬送装置と、
前記シート搬送装置により搬送されるシートに画像を形成する画像形成部と、
を備えたことを特徴とする画像形成装置。
【請求項５】
請求項１乃至３のいずれか１項に記載のシート搬送装置と、
前記シート搬送装置により搬送されるシートに形成された画像を読み取る画像読取部と、
を備えたことを特徴とする画像読取装置。
【発明の詳細な説明】
【技術分野】
【０００１】
本発明は、シート搬送装置及び画像形成装置並びに画像読取装置に関し、特に画像形成部又は画像読取部に搬送される記録紙や原稿等のシートを搬送する搬送ローラ対の位置決めを行う構成に関する。
【背景技術】
【０００２】
従来、複写機、プリンタ、ファクシミリ等の画像形成装置や画像読取装置においては、画像形成部や画像読取部に記録紙や原稿等のシートを搬送するシート搬送装置を備えている。そして、シート搬送装置には、画像形成部や画像読取部に搬送するまでにシートの斜行補正を行なう斜行補正部を備えたものがある。このような斜行補正部としては、停止しているレジストローラ対のニップにシート先端を突き当ててシートに撓みを作り、シートの弾性によってシート先端をローラニップに添わせて斜行を補正する方式がある。
【０００３】
ところで、このような搬送ローラ対の一例であるレジストローラ対は駆動ローラと、駆動ローラに所定圧で接離可能に当接する従動ローラとを備えている。この駆動ローラはシート搬送方向と直交する幅方向の両端部を支持部材によって回転可能に支持されている。また、従動ローラは、駆動ローラに所定圧で当接するように両端部に設置された付勢ばね（加圧ばね）によって付勢されると共に、従動ローラの両端部は駆動ローラと異なる部品により、回転可能に、かつ駆動ローラに対して離間可能に支持されている。なお、従動ローラの軸には駆動ローラの軸に設けられた歯車と噛合する歯車が設けられており、駆動ローラが駆動されると、駆動ローラの駆動が歯車を介して伝達され、従動ローラが回転する（特許文献１参照）。
【先行技術文献】
【特許文献】
【０００４】
【特許文献１】特開２０００−０７２２７６号公報
【発明の概要】
【発明が解決しようとする課題】
【０００５】
ところで、このような構成のレジストローラ対を備えた従来のシート搬送装置及び画像形成装置並びに画像読取装置において、レジローラ対の両端部で当接圧の差が大きくなると、斜行を補正した後、シートを搬送する際、シートの斜行が生じる場合がある。このため、従動ローラの両端部を保持している従動ローラ保持部材を、駆動ローラの両端部を保持している駆動ローラ保持部材に対して精度良く位置決めして取り付ける必要がある。そこで、従来は、従動ローラ保持部材に所定の遊びを設けるようにしており、このような遊びを設けることにより、従動ローラ保持部材を駆動ローラ保持部材に精度良く、取り付けることができる。
【０００６】
しかし、従動ローラ保持部材に遊びを設けた場合、駆動ローラの回転に伴って従動ローラが回転する際、従動ローラの回転の反力により従動ローラ保持部材には回転力が作用するようになり、これに伴い遊びの範囲で従動ローラ保持部材が傾く場合がある。そして、このように従動ローラ保持部材が傾くと、従動ローラ保持部材は付勢ばねの座（受け面）を兼ねているため、ばね座位置が不安定となり、レジローラ対の両端部で当接圧が不安定となる。なお、これは特に、厚紙を搬送する場合に顕著となる。そこで本発明は、このような現状に鑑みてなされたものであり、搬送ローラを精度良く位置決めすると共に、当接圧を安定させることのできるシート搬送装置及び画像形成装置並びに画像読取装置を提供することを目的とするものである。
【課題を解決するための手段】
【０００７】
本発明は、装置本体に設けられた第１搬送ローラと、前記装置本体に開閉可能な開閉部材に設けられ、前記開閉部材を閉じることによって前記第１搬送ローラに圧接する第２搬送ローラとにより構成される搬送ローラ対を有するシート搬送装置において、前記開閉部材に設けられ、前記第２搬送ローラがシート搬送方向に移動可能な空間を形成して設けられ、前記第２搬送ローラを回転自在に保持する保持部材と、前記装置本体に設けられ、前記開閉部材が閉じられると前記保持部材と係合し、前記第１搬送ローラに対して前記第２搬送ローラを位置決めする位置決め部材と、を備え、前記保持部材に前記搬送ローラ対の圧接方向に延びた係止部を設け、前記開閉部材に前記保持部材の係止部の先端部を係止して前記保持部材を支持する支持部を設け、前記開閉部材が閉じられて前記位置決め部材が前記保持部材に係合する際、前記支持部と前記空間に入り込んだ前記位置決め部材とにより、前記保持部材のシート搬送方向の移動を規制することを特徴とするものである。
【発明の効果】
【０００８】
本発明のように、搬送ローラを保持する保持部材を支持する支持部と搬送ローラが移動可能な空間に入り込んだ位置決め部材によって保持部材の移動を規制することにより、搬送ローラを精度良く位置決めすると共に、接圧を安定させることができる。
【図面の簡単な説明】
【０００９】
【図１】本発明の実施の形態に係るシート搬送装置を備えた画像形成装置の一例であるプリンタの構成を説明する図。
【図２】上記シート搬送装置に設けられた駆動ローラユニットの構成を示す図。
【図３】上記シート搬送装置に設けられた従動ローラユニットの構成を示す図。
【図４】扉が閉じられたときの上記駆動及び従動ローラユニットの状態を示す図。
【図５】上記従動ローラユニットの要部拡大図。
【発明を実施するための形態】
【００１０】
以下、本発明を実施するための形態について図面を用いて詳細に説明する。図１は、本発明の実施の形態に係るシート搬送装置を備えた画像形成装置の一例であるプリンタの構成を説明する図である。図１において、１はプリンタであり、このプリンタ１は、装置本体であるプリンタ本体１Ａと、プリンタ本体１Ａの上面に配されたスキャナ２と、画像形成部３とを備えている。また、このプリンタ１は、シートＳを給送するシート給送装置４と、シート給送装置４により給送されたシートＳを画像形成部３に搬送するシート搬送装置５等を備えている。なお、図１において、１２はプリンタ本体１Ａの側面に開閉自在に設けられた扉である。ここで、シート搬送装置５は、シートの斜行を補正する斜行補正部を構成するレジストローラ対５ａを備えており、画像形成の際、シート給送装置４からシートＳが給送されると、シートＳは停止しているレジストローラ対５ａに導かれるようになっている。そして、この停止しているレジストローラ対５ａのニップにシート先端を突き当ててシートＳに撓みを作り、シートＳの弾性によってシート先端をローラニップに添わせて斜行を補正する。なお、このようにしてレジストローラ対５ａにより斜行が補正された後、シートＳは二次転写部１５に搬送される。そして、この二次転写部１５において、画像形成部３に設けられ、トナー像が一次転写された転写ベルト３ａ上のトナー像がシート上に転写される。この後、トナー像が転写されたシートＳは排紙ローラ７により、排出トレイ８に排出される。
【００１１】
ところで、搬送ローラ対の一例であるレジストローラ対５ａは、第１搬送ローラである駆動ローラ１１ａと、この駆動ローラ１１ａに所定圧で接離可能に圧接する第２搬送ローラである従動ローラ１３ａを備えている。図２は、駆動ローラ１１ａを備えた駆動ローラユニット１１の構成を示す図である。図２に示すように、駆動ローラ１１ａのシート搬送方向と直交する幅方向の両端部は、軸受と、後述するレジ従動ローラ軸の位置決めガイドを兼ねた位置決め部材である第１ガイド１１ｄ及び第２ガイド１１ｅにより回転自在に支持されている。また、駆動ローラ１１ａの端部には、不図示のモータからの駆動を伝達するための第１駆動歯車１１ｂと、従動ローラ１３ａにモータからの駆動を伝達するための第２駆動歯車１１ｃが設けられている。
【００１２】
図３は、従動ローラ１３ａを備えた従動ローラユニット１３の構成を示す図であり、この従動ローラユニット１３は、プリンタ本体１Ａに開閉可能な開閉部材である扉１２に、シート搬送方向に移動可能に保持されている。そして、例えばジャムしたシートを処理する際、既述した図１に示すように、扉１２が開放されると、従動ローラ１３ａは駆動ローラ１１ａから離間する。また、図３に示すように、従動ローラ１３ａの両端部は、扉１２が閉じられた際、第１及び第２ガイド１１ｄ，１１ｅと係合する保持部材である第１軸支部１３ｃと第２軸支部１３ｅにより回転自在に支持されている。さらに、従動ローラ１３ａには、駆動ローラ１１ａに設けられた第２駆動歯車１１ｃと噛合し、駆動ローラ１１ａからの駆動が伝達される従動歯車１３ｄが設けられている。ここで、ジャムしたシートを処理した後、扉１２が閉じられると、駆動ローラユニット１１の第１及び第２ガイド１１ｄ，１１ｅにガイドされながら、第１及び第２ガイド１１ｄ，１１ｅに従動ローラユニット１３の第１及び第２軸支部１３ｃ，１３ｅが係合する。これにより、図４に示すように従動ローラ１３ａの従動歯車１３ｄと、駆動ローラ１１ａの第２駆動歯車１１ｃとが噛合する。そして、この後、モータからの駆動が第１駆動歯車１１ｂに伝達されて駆動ローラ１１ａが駆動されると、駆動ローラ１１ａの駆動が第２駆動歯車１１ｃ及び従動歯車１３ｄを介して伝達され、従動ローラ１３ａが回転する。つまり、本実施の形態において、駆動ローラ１１ａ及び従動ローラ１３ａの位置決めを行う位置決め部１１Ａは、従動ローラユニット１３の第１及び第２軸支部１３ｃ，１３ｅと、第１及び第２ガイド１１ｄ，１１ｅにより構成される。
【００１３】
ところで、図５に示すように、従動ローラユニット１３には、従動ローラ１３ａの両端部を駆動ローラ側に付勢する付勢部材である付勢ばね３２が設けられている。そして、扉１２が閉じられると、この付勢ばね３２により、従動ローラ１３ａが駆動ローラ１１ａに所定のニップ圧でニップ（圧接）する。ここで、第１軸支部１３ｃの従動ローラ１３ａを回転支持する軸受部１３ｇには、付勢ばね３２が装着されるボス１３ｆが形成されている。そして、この第１軸支部１３ｃのレジストローラ対５ａの圧接方向に延びた係止部であるボス１３ｆの先端部は、従動ローラユニット１３のハウジング（フレーム）３４に設けられた支持部である付勢ばね座３０に形成された挿入穴３０ａに挿入されている。このように、第１軸支部１３ｃのボス１３ｆを、付勢ばね座３０の挿入穴３０ａに挿入することにより、第１軸支部１３ｃは付勢ばね座３０を介してハウジング３４に支持される。
【００１４】
なお、この付勢ばね座３０の挿入穴形成端面と対向する他の端面部３０ｂは、付勢ばね３２による圧接力を調整する調整部を構成する付勢ばね圧調整部品３１に突き当たっている。つまり、付勢ばね座３０は、付勢ばね３２による荷重により、従動ローラユニット１３のハウジング３４に固定されている付勢ばね圧調整部品３１に突き当たる構成となっている。なお、本実施の形態において、この付勢ばね圧調整部品３１は、矢印に示すばね圧調整方向に移動可能となっており、付勢ばね圧調整部品３１を移動させると、付勢ばね座面３０は、第１軸支部１３ｃのボス１３ｆのボス軸とほぼ平行にスライドする。そして、このように付勢ばね座面３０をスライドさせることにより、付勢ばね３２の荷重、すなわちレジストローラ対５ａのニップ圧（レジ圧）を変えることができる。
【００１５】
図５において、３５は第１軸支部１３ｃとハウジング３４との間の、第１軸支部１３ｃのシート搬送方向の両側、すなわちシート搬送方向上流側及び下流側に形成された所定の大きさの隙間（空間）である。つまり、第１軸支部１３ｃはハウジング３４に対し、このような隙間３５を形成するように設けられており、このような隙間３５を形成することにより、従動ローラ１３ａがシート搬送方向に移動可能となる。なお、第２軸支部１３ｅも同様の構成を有している。
【００１６】
そして、扉１２が閉じられると、従動ローラユニット１３の第１及び第２軸支部１３ｃ，１３ｅの係合端部である先端部が、この隙間３５に入り込む。これにより、扉１２を閉める際、従動ローラユニット１３の第１及び第２軸支部１３ｃ，１３ｅは、第１及び第２ガイド１１ｄ，１１ｅによりガイドされながら、引っかかることなく駆動ローラユニット１１に係合される。ところで、このボス１３ｆは、付勢ばね３２の座屈を防止すると共に、ボス先端を付勢ばね座面３０の挿入穴３０ａに挿入することで、第１軸支部１３ｃの、従動ローラ１３ａの回転反力による回転を防止することができる。例えば、扉１２が閉められて駆動ローラ１１ａに従動ローラ１３ａが圧接した状態でシートＳが通過する場合、駆動ローラ１１ａが回転すると、従動ローラ１３ａも回転する。そして、このように従動ローラ１３ａが回転すると、第１軸支部１３ｃには従動ローラ１３ａの回転方向の反力により従動ローラ軸中心で回転作用が生じ、この回転作用に伴い第１軸支部１３ｃには隙間３５の範囲内で傾く力が作用する。
【００１７】
しかし、第１軸支部１３ｃに傾く力が作用した場合でも、隙間３５に入り込んだ従動ローラユニット１３の第１及び第２軸支部１３ｃ，１３ｅと、第１軸支部１３ｃのボス１３ｆが挿入された付勢ばね座３０により、第１軸支部１３ｃの傾きが規制される。ここで、このように第１軸支部１３ｃが傾かないように構成することにより、付勢ばね３２の座面が不安定となることはなく、レジローラ対５ａのニップ圧は均一となる。そして、このようにレジローラ対５ａのニップ圧が均一となることにより、レジローラ対５ａにより斜行を補正した後、シートを搬送してもシートが斜行することはない。なお、これまでは第１軸支部１３ｃについて説明したが、第２軸支部１３ｅも同様に構成されている。
【００１８】
以上説明したように、本実施の形態においては、ボス１３ｆが挿入された付勢ばね座３０と、隙間３５に入り込んだ従動ローラユニット１３の第１及び第２軸支部１３ｃ，１３ｅによって第１及び第２軸支部１３ｃ，１３ｅの移動を規制している。これにより、レジローラ対５ａを形成する駆動ローラ１１ａ及び従動ローラ１３ａを精度良く位置決めすると共に、当接圧を安定させることができる。そして、このように駆動ローラ１１ａ及び従動ローラ１３ａの当接圧が安定することにより、レジローラ対５ａを通過する際、シートの斜行が生じないようにすることができる。なお、これまでの説明においては、本発明に係るシート搬送装置を画像形成装置の一例であるカラーレーザプリンタに用いた場合について述べてきた。しかし、本発明は、これに限らず、本発明に係るシート搬送装置を、シート搬送装置により搬送されるシートに形成された画像を読み取る画像読取部を備えた画像読取装置にも適用することができる。
【符号の説明】
【００１９】
１…プリンタ、１Ａ…プリンタ本体、３…画像形成部、５…シート搬送装置、１２…扉、５ａ…レジストローラ対、１１ａ…駆動ローラ、１１ｄ…第１ガイド、１１ｅ…第２ガイド、１３ａ…従動ローラ、１３ｃ…第１軸支部、１３ｅ…第２軸支部、１３ｆ…ボス、３４…ハウジング、３０…付勢ばね座、３０ａ…挿入穴、３１…付勢ばね圧調整部品、３２…付勢ばね、３５…隙間、Ｓ…シート
【図１】
2010235231.tif 000003
【図２】
2010235231.tif 000004
【図３】
2010235231.tif 000005
【図４】
2010235231.tif 000006
【図５】
2010235231.tif 000007